(57)【特許請求の範囲】
【請求項１】
１次巻線ユニットと２次巻線ユニットとコアとから成るトランスの各巻線ユニットを独立して絶縁する絶縁ケースと前記絶縁ケースに収納される鍔付巻枠で構成されたトランス用ボビンであって、前記絶縁ケースは内筒絶縁ケースと外筒絶縁ケースから成り、前記鍔付巻枠の両端の鍔の外表面が前記絶縁ケースの内表面に当接する２箇所の当接面の夫々に沿面距離を延長するための複数の環状の凹凸部が形成されていることを特徴とするトランス用ボビン。
【請求項２】
前記絶縁ケースは茶筒型絶縁ケースであって、前記鍔付巻枠の一端の鍔の外表面と前記茶筒型絶縁ケースの底板部の内表面との当接面の一方には複数の環状凹溝が他方には前記凹溝と嵌合する複数の環状突起が夫々形成されていること、及び、前記鍔付巻枠の他端の鍔の外表面と前記茶筒型絶縁ケースの蓋板部の内表面との当接面の一方には複数の環状凹溝が他方には前記凹溝と嵌合する複数の環状突起が夫々形成されていることを特徴とする請求項１に記載のトランス用ボビン。
【請求項３】
前記茶筒型絶縁ケースは、底板部となる鍔カバー板部と内筒となる筒部を有する内筒絶縁ケースと、蓋板部となる鍔カバー板部と前記内筒と摺動自在な外筒となる筒部を有する外筒絶縁ケースとから成るものであることを特徴とする請求項２に記載のトランス用ボビン。
【請求項４】
請求項１に記載の構造のボビンを用い、その鍔付巻枠に１次巻線が巻き回された１次巻線ユニット、請求項１に記載の構造のボビンを用い、その鍔付巻枠に２次巻線が巻き回された２次巻線ユニット、及び、コアを同軸同心に配置して構成されたトランス。
【請求項５】
請求項１に記載の構造のボビンを用い、その鍔付巻枠に１次巻線が巻き回された１次巻線ユニット、請求項１に記載の構造のボビンを用い、その鍔付巻枠に２次巻線が巻き回された２次巻線ユニット、及び、コアを同軸異心に配置して構成されたトランス。
【請求項６】
請求項１に記載の構造のボビンを用い、その鍔付巻枠に１次巻線が巻き回された１次巻線ユニット、請求項１に記載の構造のボビンを用い、その鍔付巻枠に２次巻線が巻き回された２次巻線ユニット、コア、及び、環状の中間遮蔽板を同軸同心に配置して構成されたトランス。
【請求項７】
請求項１に記載の構造のボビンを用い、その鍔付巻枠に１次巻線が巻き回された１次巻線ユニット、請求項１に記載の構造のボビンを用い、その鍔付巻枠に２次巻線が巻き回された２次巻線ユニット、コア、及び、平板状の中間遮蔽板を同軸異心に配置して構成されたトランス。
【発明の詳細な説明】
【技術分野】
【０００１】
本発明は両端に鍔を備えた巻線用ボビンと巻線が巻き回された巻線用ボビンを収納する絶縁ケースとで構成されたトランス用ボビン、及び前記ボビンを用いたトランスに関する。
【背景技術】
【０００２】
コイル全体を絶縁性樹脂で塗り固めて絶縁耐電圧を高めたトランスの製造には、樹脂の硬化に時間がかかることと、絶縁紙上に巻線を巻き回すことが困難になる等の問題点があった。そこで、本願の発明者は、１次巻線用ボビンに１次巻線を巻き回した１次巻線ユニット、２次巻線用ボビンに２次巻線を巻き回した２次巻線ユニット、及び、コアを同軸同心に配置して構成した同軸同心のトランスを試作し、上述の問題点を解決した。しかしながら、このトランスは、巻線用ボビンだけでは所定の沿面距離を確保できないという新たな問題点が判明した。この新たな問題点を、図１７から図２０を参照し、以下に説明する。
【０００３】
図１７に六面図で示すトランスは、図１８の斜視図に示す如く、胴部１１と一対の鍔１２，１３とを有する１次巻線用鍔付巻枠１０と、胴部４１と一対の鍔４２，４３とを有する２次巻線用鍔付巻枠４０を備えたものである。１次巻線用鍔付巻枠１０の胴部１１は断面矩形のコア挿入孔１６を有する筒部材、２次巻線用鍔付巻枠４０の胴部４１は断面矩形のボビン挿入孔４６を有する筒部材で、これら胴部の長さは同じである。
【０００４】
このトランスの組み立ては、１次巻線１７を胴部１１に巻き回した１次巻線用鍔付巻枠１０を、２次巻線４７を胴部４１に巻き回した２次巻線用鍔付巻枠４０の挿入孔４５に挿入し、コア８０を１次巻線用鍔付巻枠１０のコア挿入孔１６に挿入する。１次巻線１７の両端は端子部１４にハンダ付し、２次巻線４７の両端は端子部４４にハンダ付する。
【０００５】
図１７の正面図（Ｂ）に示すトランスのＺ−Ｚ面での断面図である図１９、図１９の部分拡大図である図２０に示す如く、１次巻線１７と接地間の沿面距離Ｌ１は、１次巻線用鍔付巻枠１０の鍔１３と２次巻線用鍔付巻枠４０の鍔１３との当接面の最短距離で与えられるから、１次巻線用鍔付巻枠１０の鍔１３の厚さに径方向の長さ即ち幅を加えた距離である。
２次巻線４７と接地間の沿面距離Ｌ２は、図２０に示す如く、２次巻線４７とコア間の距離であるから、実質的にゼロである。
１次巻線１７と２次巻線４７との間の沿面距離Ｌ３は、図２０に示す如く、１次巻線用鍔付巻枠１０の鍔１２と２次巻線用鍔付巻枠４０の鍔１３の当接面の最短距離で与えられるから、２次巻線用鍔付巻枠４０の径方向の長さ即ち幅に等しい。
【０００６】
この従来のトランスは、より発熱の大きい１次巻線１７が２次巻線４７の内側に配置されることや、１次巻線１７と接地間の沿面距離Ｌ１、及び１次巻線１７と２次巻線４７との間の沿面距離Ｌ３がコアの窓寸法以下に制限されてしまうという問題がある。換言すれば、巻線用ボビンだけではトランスに要求される沿面距離を確保できないという問題がある。
【０００７】
特許文献１には、絶縁ケース付ボビンを用いたトランスが記載されている。このトランスは、鍔付内側巻枠、鍔付外側巻枠、及び絶縁ケースとから成るボビンを用いて構成されている。前記絶縁ケースは略矩形の中空ケースであって、底付筒状第１絶縁ケースと底付筒状第２絶縁ケースで構成されている。前記底付筒状の第１絶縁ケースには内側絶縁壁と外側絶縁壁が形成され、且つその開口端にはフラップ部が形成されている。前記底付筒状の第２絶縁ケースにも内側絶縁壁と外側絶縁壁が形成され、且つその開口端にはフラップ部が形成されている。前記鍔付外側巻枠のベース部には前記内側絶縁壁と外側絶縁壁を受け入れるための段部が形成されている。
【０００８】
このトランスは、１次巻線が巻き回された鍔付内側巻枠と２次巻線が巻き回された鍔付外側巻枠を所定の位置に配置し、これらを包み込んで底付筒状の第１絶縁ケースと底付筒状の第２絶縁ケースを夫々の開口部に形成されたフラップ部を突き合わせて嵌め合わせ、更にコア部材を所定の位置に配置して構成されている。
【０００９】
１次巻線及び２次巻線間の沿面距離、並びに１次巻線とコア部材間の沿面距離は、底付筒状の第１絶縁ケース並びに底付筒状の第２絶縁ケースに内側絶縁壁及び外側絶縁壁を設けたことにより延長されている。そして、延長される距離は内側絶縁壁及び外側絶縁壁の長さによって決まる。更に、１次巻線とコア部材間の沿面距離は、底付筒状の第１絶縁ケースと底付筒状の第２絶縁ケースの開口端の夫々のフラップ部をオーバーラップさせることによっても延長されている。しかしながら、特許文献１に記載のトランスでは、２次巻線と接地との間の沿面距離が延長できないという問題がある。
【００１０】
ところで、落雷に起因する電圧が1次巻線に印加された場合、そのエネルギーが2次巻線に伝搬するのを防ぐために、中間遮蔽板をトランスに設けることがある。この中間遮蔽板は、コア部材と同じく接地される。特許文献１に記載のトランスにおいて、１次巻線と２次巻線の間に中間遮蔽板を追加する場合、１次巻線と接地との間の沿面距離のうち、内側絶縁壁により延長された部分が半減してしまうため、絶縁耐電圧が著しく低下してしまうという問題がある。また、絶縁フィルムを追加するなどの手段で絶縁を強化したとしても、中間遮蔽板を１次巻線と２次巻線の間に配置した場合は2次巻線と接地との間の沿面距離は殆ど確保できないという問題がある。
【００１１】
特許文献２にも、絶縁ケースを備えたボビンを用いたトランスが記載されている。このトランスは、１次巻線が巻き回された１次側ボビンを含む１次側ユニット、２次巻線が巻き回された２次側ボビンを含む２次側ユニット、及びこれらユニットを結合した状態でカバーする筒状の絶縁ケースとで構成されている。１次巻線が巻き回された１次側ボビンを含む１次側ユニットと２次巻線が巻き回された２次側ボビンを含む２次側ユニットは、絶縁ケースの両端から夫々挿入され、所定の位置に配置される。
【００１２】
１次側ボビンの一端には１次側中間鍔部が、２次側ボビンの一端には２次側中間鍔部が夫々形成されている。１次側ボビンと２次側ボビンを同軸に配置し、それらの端部を突合せるとコイルボビンが形成される。このコイルボビンは、１次側中間鍔部と２次側中間鍔部によって環状溝が形成された中間鍔部を有するコイルボビンである。絶縁ケースには、コイルボビンの中間鍔部の環状溝に対応する位置に、その内周面から直交方向に係止用枠部が突設されている。
【００１３】
このトランスにおいては、１次巻線と２次巻線との間の沿面距離は、コイルボビンの中間鍔部の環状溝に絶縁ケースの係止用枠部が入り込んでいることによって、大きくなっている。しかしながら、このようなボビン構造では、１次巻線と接地との間の沿面距離も、２次巻線と接地との間の沿面距離も延長することはできないという問題がある。また、絶縁ケースを強化するなどの対策を講じても、中間遮蔽板を１次巻線と２次巻線との間に配置した場合、１次巻線と２次巻線のどちらか一方と接地との間の沿面距離は殆ど確保できないという問題がある
【００１４】
特許文献３にも、絶縁ケースを備えたボビンを用いたトランスが記載されている。このトランスは、低圧側コイル、高圧側コイル、鍔付ボビン、及び絶縁ケースで構成されている。そして、前記絶縁ケースは、摺動自在に組み合わされる内筒部として機能する第１のケースと、外筒部として機能する第２のケースとで構成されている。前記第１のケースは、第1のコアの主磁脚を挿通する磁脚挿通孔を設けた板状部とその外辺部からほぼ垂直に延出して形成された側壁部とを有する。前記第２のケースは、第２のコアの主磁脚を挿通する磁脚挿通孔を設けた板状部とその外辺部からほぼ垂直に延出して形成された側壁部とを有する。
【００１５】
このトランスにおいて、外周側と高圧側コイル間の沿面距離は、絶縁ケースの第１のケースの側壁部と第２のケースの側壁部の重なり部によって長く形成される。また、第1のコアの橋絡部、第２のコアの橋絡部あるいは低圧側コイルの内周側と高圧側コイル間の沿面距離は、第１のケースの板状部、第２のケースの板状部とボビンの鍔部の重なり部によって長く形成される。
【００１６】
しかしながら、このトランスでは、高圧側コイルは絶縁ケースで完全に囲まれているが、低圧側コイルは絶縁ケースで部分的に囲まれているだけであるから、絶縁は不十分であるという問題がある。また、低圧側コイルの内周側と高圧側コイル間の沿面距離を更に延ばすためには、第１のケースの板状部、第２のケースの板状部とボビンの鍔部のいずれも延ばさなければならない。そうすると、トランスのサイズが大きくなるという問題がある。  更に、中間遮蔽板を低圧側コイルと高圧側コイルとの間に配置した場合、低圧側コイルと接地との間の沿面距離は確保できないという問題がある。
【先行技術文献】
【特許文献】
【００１７】
【特許文献１】特開２０００−１２３４５号公報
【特許文献２】特許第４７０７７７８号公報
【特許文献３】特許第３７５５７２９号公報
【発明の概要】
【発明が解決しようとする課題】
【００１８】
本発明が解決しようとする第１の課題は、１次巻線ユニットと２次巻線ユニットとコアとから成るトランスの各巻線ユニットを独立して絶縁する絶縁ケースと前記絶縁ケースに収納される鍔付巻枠で構成されたトランス用ボビンであって、中間遮蔽板の有無に関わらず、１次巻線と接地との間、２次巻線と接地との間、及び１次巻線と２次巻線との間の夫々の沿面距離を所要の値に確保できるトランス用ボビンを提供することである。
本発明が解決しようとする第２の課題は、同軸同心型トランスであっても同軸異心型トランスであっても、中間遮蔽板の有無に関わらず、トランスに要求される沿面距離を確保することである。
【課題を解決するための手段】
【００１９】
上記課題を解決するために、鍔付巻枠の両端の鍔の外表面と絶縁ケースの内表面と当接する２箇所の当接面がトランスに要求される沿面距離を決める箇所になるようにトランスを構成し、これら２箇所の当接面を平坦面でなく凹凸面とすることによって所要の沿面距離を確保した。
即ち、上記第１の課題を解決するトランス用ボビンは、１次巻線ユニットと２次巻線ユニットとコアとから成るトランスの各巻線ユニットを独立して絶縁する絶縁ケースと前記絶縁ケースに収納される鍔付巻枠で構成されたトランス用ボビンであって、前記絶縁ケースは内筒絶縁ケースと外筒絶縁ケースから成り、前記鍔付巻枠の両端の鍔の外表面が前記絶縁ケースの内表面に当接する２箇所の当接面の夫々に沿面距離を延長するための複数の環状の凹凸部が形成されていることを特徴とするトランス用ボビンである。
【００２０】
上記第２の課題を解決するトランスは、独立して絶縁される１次巻線ユニット並びに２次巻線ユニット、及びコアとから成る同軸同心型トランス若しくは同軸異心型トランスであって、各巻線ユニットは上記第１の課題を解決するトランス用ボビンを用いて構成されていることを特徴とするトランスである。
【発明の効果】
【００２１】
本発明により、１次巻線ユニットと２次巻線ユニットとコアとから成るトランスの各巻線ユニットを独立して絶縁する絶縁ケースと前記絶縁ケースに収納される鍔付巻枠で構成されたトランス用ボビンであって、中間遮蔽板の有無に関わらず、１次巻線と接地との間、２次巻線と接地との間、及び１次巻線と２次巻線との間の夫々の沿面距離を所要の値に確保できるトランス用ボビンが提供された。
また、本発明により、同軸同心型トランスであっても同軸異心型トランスであっても、中間遮蔽板の有無に関わらず、１次巻線と接地との間、２次巻線と接地との間、及び１次巻線と２次巻線との間の夫々の沿面距離を所要の値に確保できるトランスが提供された。
【図面の簡単な説明】
【００２２】
【図１】実施例１のトランスの六面図で、（Ａ）は左側面図、（Ｂ）は正面図、（Ｃ）は右側面図、（Ｄ）は背面図、（Ｅ）は平面図、（Ｆ）は底面図である。なお、比較のため、コアの寸法は図１７とおなじものを使用している。
【図２】実施例１のトランスに用いられる１次巻線用鍔付巻枠と、これに被せる絶縁ケースを構成する内筒絶縁ケースと外筒絶縁ケースの組み合わせを示した斜視図である。
【図３】実施例１の１次巻線ユニットの断面図である。
【図４】実施例１のトランスに用いられる２次巻線用鍔付巻枠と、これに被せる絶縁ケースを構成する内筒絶縁ケースと外筒絶縁ケースの組み合わせを示した斜視図である。
【図５】実施例１の２次巻線ユニットの断面図である。
【図６】実施例１のトランスを構成する１次巻線ユニットと２次巻線ユニットと中間遮蔽板の組み合わせを示した斜視図である。
【図７】図１の正面図（Ｂ）のＸ−Ｘ面で切断した実施例１のトランスの断面図である。
【図８】図７の部分拡大図である。
【図９】実施例２のトランスの六面図で、（Ａ）は左側面図、（Ｂ）は正面図、（Ｃ）は右側面図、（Ｄ）は背面図、（Ｅ）は平面図、（Ｆ）は底面図である。
【図１０】実施例２のトランスに用いられる１次巻線用鍔付巻枠と、これに被せる絶縁ケースを構成する内筒絶縁ケースと外筒絶縁ケースの組み合わせを示した斜視図である。
【図１１】実施例２の１次巻線ユニットの断面図である。
【図１２】実施例２のトランスに用いられる２次巻線用鍔付巻枠と、これに被せる絶縁ケースを構成する内筒絶縁ケースと外筒絶縁ケースの組み合わせを示した斜視図である。
【図１３】実施例２の２次巻線ユニットの断面図である。
【図１４】実施例２のトランスを構成する１次巻線ユニットと２次巻線ユニットと中間遮蔽板の組み合わせを示した斜視図である。
【図１５】図９の正面図（Ｂ）のＹ−Ｙ面で切断した実施例２のトランスの断面図である。
【図１６】図１５の部分拡大図である。
【図１７】１次巻線用ボビンに１次巻線を巻き回した１次巻線ユニット、２次巻線用ボビンに２次巻線を巻き回した２次巻線ユニット、及び、コアを同軸同心に配置して構成した従来のトランスの六面図で、（Ａ）は左側面図、（Ｂ）は正面図、（Ｃ）は右側面図、（Ｄ）は背面図、（Ｅ）は平面図、（Ｆ）は底面図である。
【図１８】図１７の従来のトランスを構成する１次巻線ユニットと２次巻線ユニットの組み合わせを示した斜視図である。
【図１９】図１７の正面図（Ｂ）のＺ−Ｚ面で切断した従来のトランスの断面図である。
【図２０】図１９の部分拡大図である。
【発明を実施するための形態】
【００２３】
本発明に係るトランスは、茶筒型絶縁ケースを備えた１次側ボビンの鍔付巻枠に１次巻線を巻き回して構成された１次巻線ユニット、茶筒型絶縁ケースを備えた２次側ボビンの鍔付巻枠に２次巻線を巻き回して構成された２次巻線ユニット、及びコアとで構成されたトランスであって、前記１次巻線ユニットと２次巻線ユニットの夫々は鍔付巻枠の両端の鍔の外表面が茶筒型絶縁ケースの内表面と２箇所で当接するように組み合わされていること、及び、当接する鍔の外表面には環状凹溝が形成され、当接する茶筒型絶縁ケースの内表面には前記環状凹溝と嵌合する環状突起が形成されている。
【実施例１】
【００２４】
実施例１は、図１から図６に示す如く、１次巻線ユニット１、２次巻線ユニット２、及びコア８０から成る同軸同心のトランスで、中間遮蔽板７０を備えたトランスである。
【００２５】
１次巻線ユニット１は、図２の斜視図及び図３の断面図に示す如く、１次巻線１７を巻き回された鍔付巻枠１０を茶筒型絶縁ケースに収納して構成されている。前記茶筒型絶縁ケースは、底板部となる鍔カバー板部３２と内筒となる筒部３１を有する内筒絶縁ケース３０と、蓋板部となる鍔カバー板部２２と前記内筒と摺動自在な外筒となる筒部２１を有する外筒絶縁ケース２０で構成されている。鍔付巻枠１０は、一端に環状の鍔１２が、他端に環状の鍔１３が形成されている。鍔付巻枠１０の鍔１２の一部は端子部１４として機能する突起部となっている。
【００２６】
１次巻線ユニット１において、鍔付巻枠１０の一方の鍔１３の外表面は前記茶筒型絶縁ケースの底板部である内筒絶縁ケース３０の鍔カバー板部３２の内表面と当接し、同時に、鍔付巻枠１０の他方の鍔１２の外表面は前記茶筒型絶縁ケースの蓋板部である外筒絶縁ケース２０の鍔カバー板部２２の内表面と当接している。外筒絶縁ケース２０の鍔カバー板部２２の一部は端子部２３として機能する膨出部となっている。
【００２７】
鍔付巻枠１０の鍔１２の外表面には２つの環状凹溝１２ａが形成されており、外筒絶縁ケース２０の鍔カバー板部２２には環状凹溝１２ａと嵌合する２つの環状突起２２ａが形成されている。また、鍔付巻枠１０の鍔１３と外表面には２つの環状凹溝１３ａが形成されており、内筒絶縁ケース３０の鍔カバー板部３２には環状凹溝１３ａと嵌合する２つの環状突起３２ａが形成されている。
【００２８】
要するに、１次巻線ユニット１において、鍔付巻枠１０の鍔１２と外筒絶縁ケース２０の鍔カバー板部２２の当接面は平面でなく、複数の環状凹溝と環状突起が嵌合した凹凸面となっているのである。また、鍔付巻枠１０の鍔１３と内筒絶縁ケース３０の鍔カバー板部３２の当接面は平面でなく、複数の環状凹溝と環状突起が嵌合した凹凸面となっているのである。
【００２９】
２次巻線ユニット２は、図４の斜視図及び図５の断面図に示す如く、２次巻線４７を巻き回された鍔付巻枠４０を茶筒型絶縁ケースに収納して構成されている。前記茶筒型絶縁ケースは、底板部となる鍔カバー板部６２と内筒となる筒部６１を有する内筒絶縁ケース６０と、蓋板部となる鍔カバー板部５２と前記内筒と摺動自在な外筒となる筒部５１を有する外筒絶縁ケース５０で構成されている。鍔付巻枠４０は、一端に環状の鍔４２が、他端に環状の鍔４３が形成されている。鍔付巻枠４０の鍔４２の一部は端子部４４として機能する突起部となっている。
【００３０】
２次巻線ユニット２において、鍔付巻枠４０の一方の鍔４３の外表面は前記茶筒型絶縁ケースの底板部である内筒絶縁ケース６０の鍔カバー板部６２の内表面と当接し、同時に、鍔付巻枠４０の他方の鍔４２の外表面は前記茶筒型絶縁ケースの蓋板部である外筒絶縁ケース５０の鍔カバー板部５２の内表面と当接している。外筒絶縁ケース５０の鍔カバー板部５２の一部は端子部５３として機能する膨出部となっている。
【００３１】
鍔付巻枠４０の鍔４２の外表面には２つの環状凹溝４２ａが形成されており、外筒絶縁ケース５０の鍔カバー板部５２には環状凹溝４２ａと嵌合する２つの環状突起５２ａが形成されている。また、鍔付巻枠４０の鍔４３の外表面には２つの環状凹溝４３ａが形成されており、内筒絶縁ケース６０の鍔カバー板部６２には環状凹溝４３ａと嵌合する２つの環状突起６２ａが形成されている。
【００３２】
要するに、２次巻線ユニット２において、鍔付巻枠４０の鍔４２と外筒絶縁ケース５０の鍔カバー板部５２の当接面は平面でなく、複数の環状凹溝と環状突起が嵌合した凹凸面となっているのである。また、鍔付巻枠４０の鍔４３と内筒絶縁ケース６０の鍔カバー板部６２の当接面も平面でなく、複数の環状凹溝と環状突起が嵌合した凹凸面となっているのである。
【００３３】
実施例１の同軸同心のトランスの組み立ては、図６に示す如く、内筒絶縁ケース６０と外筒絶縁ケース５０を備えた２次巻線ユニット２の回りに、外筒絶縁ケース５０と同じ長さの筒状の中間遮蔽板７０を被せる。次に、中間遮蔽板７０が被せられた２次巻線ユニット２を、内筒絶縁ケース３０と外筒絶縁ケース２０を備えた１次巻線ユニット１に嵌入する。
【００３４】
次に、実施例１のトランスの１次巻線１７と接地間の沿面距離、２次巻線４７と接地間の沿面距離、１次巻線１７と２次巻線４７との間の沿面距離について詳細に説明する。
【００３５】
実施例１のトランスにおいて、１次巻線１７と接地間の沿面距離Ｌ１は、図８に示す通り、１次巻線ユニット１の鍔付巻枠１０の鍔１３の外周面と内筒絶縁ケース３０の内周面との当接面の最短距離に、鍔付巻枠１０の鍔１３の外表面と内筒絶縁ケース３０の鍔カバー板部３２の内表面との当接面の最短距離を加えた距離である。即ち、１次巻線１７と接地間の沿面距離Ｌ１は、鍔１３の厚さに鍔１３の径方向の凹凸面の長さを加えた距離である。鍔１３の径方向の凹凸面の長さは、鍔１３の幅を環状凹溝１３ａにより延長した値である。この延長した値は、環状凹溝１３ａの凹溝の深さdの２倍２ｄに凹溝の数ｎ（ｎ＝２）を乗じた長さである。従って、図１７〜図２０に示した従来のトランスと比較すると、実施例１のトランスにおける１次巻線１７と接地間の沿面距離Ｌ１は大幅に延長されていることは明らかである。
【００３６】
実施例１のトランスにおいて、２次巻線４７と接地間の沿面距離Ｌ２は、図８に示す通り、２次巻線ユニット１の鍔付巻枠４０の鍔４３の外周面と内筒絶縁ケース６０の内周面との当接面の最短距離に、鍔付巻枠４０の鍔４３の外表面と内筒絶縁ケース６０の鍔カバー板部６２の内表面との当接面の最短距離を加えた距離である。即ち、２次巻線４７と接地間の沿面距離Ｌ２は、鍔４３の厚さに鍔４３の径方向の凹凸面の長さを加えた距離である。鍔４３の径方向の凹凸面の長さは、鍔４３の幅を環状凹溝４３ａにより延長した値である。この延長した値は、環状凹溝４３ａの凹溝の深さｄの２倍２ｄに凹溝の数ｎ（ｎ＝２）を乗じた長さである。従って、図１７〜図２０に示した従来のトランスと比較すると、実施例１のトランスにおける２次巻線４７と接地間の沿面距離Ｌ２は大幅に延長されていることは明らかである。
【００３７】
実施例１のトランスにおいて、１次巻線１７と２次巻線４７との間の沿面距離は、１次巻線１７と接地間の沿面距離Ｌ１と２次巻線４７と接地間の沿面距離Ｌ２の和の距離である。実施例１のトランスは、１次巻線ユニット１と２次巻線ユニット２の２つのユニットで構成され、各ユニットは独立した絶縁ケースで絶縁されているからである。実施例１のトランスにおける１次巻線１７と２次巻線４７との間の沿面距離が、図１７〜図２０に示した従来のトランスと比較すると、大幅に延長されていることは明らかである。
【００３８】
実施例１のトランスから中間遮蔽板７０を除いて構成された同軸同心のトランスにおいても、１次巻線１７と接地間の沿面距離、２次巻線４７と接地間の沿面距離、１次巻線１７と２次巻線４７との間の沿面距離が、図１７〜図２０に示した従来のトランスと比較すると、大幅に延長されていることは明らかである。
【実施例２】
【００３９】
実施例２は、図９から図１６に示す如く、１次巻線ユニット１、２次巻線ユニット２、及びコア８０から成る同軸異心のトランスで、中間遮蔽板７０を備えたトランスである。
【００４０】
１次巻線ユニット１は、図１０の斜視図及び図１１の断面図に示す如く、１次巻線１７を巻き回された鍔付巻枠１０を茶筒型絶縁ケースに収納して構成されている。前記茶筒型絶縁ケースは、底板部となる鍔カバー板部３２と内筒となる筒部３１を有する内筒絶縁ケース３０と、蓋板部となる鍔カバー板部２２と前記内筒と摺動自在な外筒となる筒部２１を有する外筒絶縁ケース２０で構成されている。鍔付巻枠１０は、一端に環状の鍔１２が、他端に環状の鍔１３が形成されている。鍔付巻枠１０の鍔１２の一部は端子部１４として機能する突起部となっている。
【００４１】
１次巻線ユニット１において、鍔付巻枠１０の一方の鍔１３の外表面は前記茶筒型絶縁ケースの底板部である内筒絶縁ケース３０の鍔カバー板部３２の内表面と当接し、同時に、鍔付巻枠１０の他方の鍔１２の外表面は前記茶筒型絶縁ケースの蓋板部である外筒絶縁ケース２０の鍔カバー板部２２の内表面と当接している。外筒絶縁ケース２０の鍔カバー板部２２の一部は端子部２３として機能する膨出部となっている。
【００４２】
鍔付巻枠１０の鍔１２の外表面には６つの環状凹溝１２ａが形成されており、外筒絶縁ケース２０の鍔カバー板部２２には環状凹溝１２ａと嵌合する６つの環状突起２２ａが形成されている。また、鍔付巻枠１０の鍔１３と外表面には６つの環状凹溝１３ａが形成されており、内筒絶縁ケース３０の鍔カバー板部３２には環状凹溝１３ａと嵌合する６つの環状突起３２ａが形成されている。
【００４３】
要するに、１次巻線ユニット１において、鍔付巻枠１０の鍔１２と外筒絶縁ケース２０の鍔カバー板部２２の当接面は平面でなく、複数の環状凹溝と環状突起が嵌合した凹凸面となっているのである。また、鍔付巻枠１０の鍔１３と内筒絶縁ケース３０の鍔カバー板部３２の当接面も平面でなく、複数の環状凹溝と環状突起が嵌合した凹凸面となっているのである。
【００４４】
２次巻線ユニット２は、図１２の斜視図及び図１３の断面図に示す如く、２次巻線４７を巻き回された鍔付巻枠４０を茶筒型絶縁ケースに収納して構成されている。前記茶筒型絶縁ケースは、底板部となる鍔カバー板部６２と内筒となる筒部６１を有する内筒絶縁ケース６０と、蓋板部となる鍔カバー板部５２と前記内筒と摺動自在な外筒となる筒部５１を有する外筒絶縁ケース５０で構成されている。鍔付巻枠４０は、一端に環状の鍔４２が、他端に環状の鍔４３が形成されている。鍔付巻枠４０の鍔４２の一部は端子部４４として機能する突起部となっている。
【００４５】
２次巻線ユニット２において、鍔付巻枠４０の一方の鍔４３の外表面は前記茶筒型絶縁ケースの底板部である内筒絶縁ケース６０の鍔カバー板部６２の内表面と当接し、同時に、鍔付巻枠４０の他方の鍔４２の外表面は前記茶筒型絶縁ケースの蓋板部である外筒絶縁ケース５０の鍔カバー板部５２の内表面と当接している。外筒絶縁ケース５０の鍔カバー板部５２の一部は端子部５３として機能する膨出部となっている。
【００４６】
鍔付巻枠４０の鍔４２の外表面には６つの環状凹溝４２ａが形成されており、外筒絶縁ケース５０の鍔カバー板部５２には環状凹溝４２ａと嵌合する６つの環状突起５２ａが形成されている。また、鍔付巻枠４０の鍔４３の外表面には６つの環状凹溝４３ａが形成されており、内筒絶縁ケース６０の鍔カバー板部６２には環状凹溝４３ａと嵌合する６つの環状突起６２ａが形成されている。
【００４７】
要するに、２次巻線ユニット２において、鍔付巻枠４０の鍔４２と外筒絶縁ケース５０の鍔カバー板部５２の当接面は平面でなく、複数の環状凹溝と環状突起が嵌合した凹凸面となっているのである。また、鍔付巻枠４０の鍔４３と内筒絶縁ケース６０の鍔カバー板部６２の当接面も平面でなく、複数の環状凹溝と環状突起が嵌合した凹凸面となっているのである。
【００４８】
実施例２の同軸異心トランスの組み立ては、図１４に示す如く、内筒絶縁ケース３０と外筒絶縁ケース２０を備えた１次巻線ユニット１の内筒絶縁ケース３０の鍔カバー板３２を覆うように平板状の中間遮蔽板７０を取り付ける。次に、中間遮蔽板７０を配置した１次巻線ユニットの上に、内筒絶縁ケース６０と外筒絶縁ケース５０を備えた２次巻線ユニット２を配置する。
【００４９】
次に、実施例２のトランスの１次巻線１７と接地間の沿面距離、２次巻線４７と接地間の沿面距離、１次巻線１７と２次巻線４７との間の沿面距離について詳細に説明する。
【００５０】
実施例２のトランスにおいて、１次巻線１７と接地間の沿面距離Ｌ１は、図１６に示す通り、１次巻線ユニット１の鍔付巻枠１０の鍔１３の外周面と内筒絶縁ケース３０の内周面との当接面の最短距離に、鍔付巻枠１０の鍔１３の外表面と内筒絶縁ケース３０の鍔カバー板部３２の内表面との当接面の最短距離を加えた距離である。即ち、１次巻線１７と接地間の沿面距離Ｌ１は、鍔１３の厚さに鍔１３の径方向の凹凸面の長さを加えた距離である。鍔１３の径方向の凹凸面の長さは、鍔１３の幅を環状凹溝１３ａにより延長した値である。この延長した値は、環状凹溝１３ａの凹溝の深さｄの２倍２ｄに凹溝の数ｎ（ｎ＝６）を乗じた長さである。従って、図１７〜図２０に示した従来のトランスと比較すると、実施例２のトランスにおける１次巻線１７と接地間の沿面距離Ｌ１は大幅に延長されていることは明らかである。
【００５１】
実施例２のトランスにおいて、２次巻線４７と接地間の沿面距離Ｌ２は、図１６に示す通り、２次巻線ユニット１の鍔付巻枠４０の鍔４３の外周面と内筒絶縁ケース６０の内周面との当接面の最短距離に、鍔付巻枠４０の鍔４３の外表面と内筒絶縁ケース６０の鍔カバー板部６２の内表面との当接面の最短距離を加えた距離である。即ち、２次巻線４７と接地間の沿面距離Ｌ２は、鍔４３の厚さに鍔４３の径方向の凹凸面の長さを加えた距離である。鍔４３の径方向の凹凸面の長さは、鍔４３の幅を環状凹溝４３ａにより延長した値である。この延長した値は、環状凹溝４３ａの凹溝の深さdの２倍２ｄに凹溝の数ｎ（n＝６）を乗じた長さである。従って、図１７〜図２０に示した従来のトランスと比較すると、実施例２のトランスにおける２次巻線４７と接地間の沿面距離Ｌ２は大幅に延長されていることは明らかである。
【００５２】
実施例２のトランスにおいて、１次巻線１７と２次巻線４７との間の沿面距離は、１次巻線１７と接地間の沿面距離Ｌ１と２次巻線４７と接地間の沿面距離Ｌ２の和の距離である。実施例２のトランスは、１次巻線ユニット１と２次巻線ユニット２の２つのユニットで構成され、各ユニットは独立した絶縁ケースで絶縁されているからである。実施例２のトランスにおける１次巻線１７と２次巻線４７との間の沿面距離が、図１７〜図２０に示した従来のトランスと比較すると大幅に延長されていることは明らかである。
【００５３】
実施例２のトランスから中間遮蔽板７０を除いて構成された同軸異心のトランスにおいても、１次巻線１７と接地間の沿面距離、２次巻線４７と接地間の沿面距離、１次巻線１７と２次巻線４７との間の沿面距離が、図１７〜図２０に示した従来のトランスと比較すると、大幅に延長されていることは明らかである。
【符号の説明】
【００５４】
１０              １次巻線用鍔付巻枠
１１              筒部                     
１２              鍔
１２ａ           環状凹溝
１３              鍔
１３ａ           環状凹溝
１４              端子部
１５              コア挿入口
１７              １次巻線
２０              外筒絶縁ケース
２１              筒部
２２              鍔カバー板部
２２ａ           環状突起
２３              端子部
２４              端子部絶縁板
２５              巻線枠挿入口
３０              内筒絶縁ケース
３１              筒部
３２              鍔カバー板部
３２ａ           環状突起
４０              ２次巻線用鍔付巻枠
４１              胴部
４２              鍔
４２a            環状凹溝
４３              鍔
４３a            凹溝
４４              端子部
４５              １次巻線用ボビン挿入口
４６              コア挿入口
４７              ２次巻線
５０              外筒絶縁ケース
５１              筒部
５２              鍔カバー板部
５２ａ           環状突起
５３              端子部
５４              端子部絶縁板
５５              巻線枠挿入口
６０              内筒絶縁ケース
６１              筒部
６２              鍔カバー板部
６２ａ           環状突起
６３              端子保護板
６４              コア挿入口
７０              中間遮蔽板
８０              コア
Ｌ１               １次巻線と接地との間の沿環状
Ｌ2                ２次巻線と接地との間の沿面
Ｌ2                １次巻線と２次巻線との間の沿面
【要約】      （修正有）【課題】絶縁ケースを備えたボビンを用いたトランスにおいて、中間遮蔽板の有無に関わらず、要求される沿面距離を確保したトランスを提供する。【解決手段】１次巻線ユニットと２次巻線ユニットとコアとで構成したトランスにおいて、１次巻線ユニットは鍔付巻枠１０、内筒絶縁ケース３０、外筒絶縁ケース２０で構成され、当接する鍔付巻枠１０の鍔１２の外表面には複数の環状凹部１２ａが、外筒絶縁ケース２０の鍔カバー板部２２の内表面には環状凹部１２ａと嵌合する複数の環状突起２２ａが夫々形成されている。また、当接する鍔付巻枠１０の鍔１３の外表面には複数の環状凹部が、内筒絶縁ケース３０の鍔カバー板部３２の内表面には環状凹部と嵌合する複数の環状突起３２ａが夫々形成されている。【選択図】図２【図１】
0005854572.tif 000002
【図２】
0005854572.tif 000003
【図３】
0005854572.tif 000004
【図４】
0005854572.tif 000005
【図５】
0005854572.tif 000006
【図６】
0005854572.tif 000007
【図７】
0005854572.tif 000008
【図８】
0005854572.tif 000009
【図９】
0005854572.tif 000010
【図１０】
0005854572.tif 000011
【図１１】
0005854572.tif 000012
【図１２】
0005854572.tif 000013
【図１３】
0005854572.tif 000014
【図１４】
0005854572.tif 000015
【図１５】
0005854572.tif 000016
【図１６】
0005854572.tif 000017
【図１７】
0005854572.tif 000018
【図１８】
0005854572.tif 000019
【図１９】
0005854572.tif 000020
【図２０】
0005854572.tif 000021